(57)【要約】【課題】本開示は、リード線の断線による火災発生を抑止するとともに組立が容易な洗濯機を提供する。【解決手段】本開示における洗濯機１００は、外枠１０１の内部に揺動可能に支持された水槽１０７と、水槽１０７の内部に回転自在に設けられた洗濯兼脱水槽１０９と、水槽１０７の下部に配設され、洗濯兼脱水槽１０９を回転駆動させるモータ１２１と、外枠１０１の背面側に配設され、モータ１２１を制御する制御基板と、モータ１２１と制御基板とを接続するリード線１２７と、下部枠体１０３に配設され、リード線１２７を固定する下部枠体側取付部１４０と、を備える。下部枠体側取付部１４０は、難燃部材により略コ字状に形成され、略コ字の内部にリード線１２７を固定し、外枠１０１の背面側に開口するように配置されている。これにより、リード線１２７の断線による火災発生を抑止でき、リード線１２７の取り付けや取外しが容易である。【選択図】図１
2020174898.tif 000002
【特許請求の範囲】
【請求項１】
筐体と、前記筐体内部に揺動可能に支持された水槽と、前記水槽の内部に回転自在に設けられた洗濯兼脱水槽と、前記水槽の下部に配設され、前記洗濯兼脱水槽を回転駆動させるモータと、前記筐体の背面側に配設され、前記モータを制御する制御装置と、前記モータと前記制御装置とを接続するリード線と、前記筐体に配設され、前記リード線を固定する筐体側取付部と、を備え、
前記筐体側取付部は、難燃部材により略コ字状に形成され、略コ字の内部に前記リード線を固定し、前記筐体の背面側に開口するように配置されている、洗濯機。
【請求項２】
前記筐体側取付部は、前記略コ字の内部に前記リード線を固定する固定面と、前記リード線を固定する位置において、前記制御装置及び前記水槽の向きを遮蔽する遮蔽面と、により略コ字状に形成される、請求項１に記載の洗濯機。
【請求項３】
前記筐体は、前記水槽を内包する外枠と、前記外枠の下部と固定された下部枠体と、を含み、前記筐体側取付部は、前記下部枠体の上部に形成された台座の上面に固定されており、請求項１に記載の洗濯機。
【請求項４】
前記筐体は、前記外枠の背面側に形成された開口を覆うように取り付けられる背面カバーを含み、前記背面カバーは、前記筐体側取付部と離間するように、背面側に膨出して形成される背面カバー膨出部を有する、請求項３に記載の洗濯機。
【請求項５】
前記筐体側取付部は、前記リード線を挟持する挟持手段を係止する係止部を有し、前記係止部に前記挟持手段を係止することにより前記筐体に固定される、請求項１に記載の洗濯機。
【発明の詳細な説明】
【技術分野】
【０００１】
本開示は、洗濯機に関する。
【背景技術】
【０００２】
特許文献１は、筐体の背面内部にリード線が固定された縦型洗濯機を開示する。特許文献１における縦型洗濯機は、筐体と、筐体内部に弾性支持された水槽と、水槽の内部に回転自在に設けられた洗濯兼脱水槽と、水槽の下部に配設され、洗濯兼脱水槽を回転駆動させるモータと、モータを制御する制御装置と、モータと制御装置とを接続するリード線と、を備える。モータと接続されたリード線は、一本に束ねられて筐体側に引き回されて筐体の背面内部に固定されている。
【０００３】
また、従来の洗濯機として、ガラス繊維で構成された難燃性のテープをリード線に巻き付けることにより、リード線が断線した際に火災が発生することを抑制する構成が知られている。
【先行技術文献】
【特許文献】
【０００４】
【特許文献１】特開平９−２７６５８７号公報
【発明の概要】
【発明が解決しようとする課題】
【０００５】
前記従来の構成では、洗濯運転時に水槽が振動すると筐体側に固定されたリード線に応力が集中し、断線して火災が発生する虞があった。そのため、従来の洗濯機では応力が集中する箇所に難燃性のテープを巻き付けていたが、リード線にテープを巻き付ける構成は、組立てる際の作業性が低い上に難燃性のテープの価格が高いという課題があった。
【０００６】
本開示は、リード線の断線による火災発生を抑止するとともに組立が容易な洗濯機を提供する。
【課題を解決するための手段】
【０００７】
本開示における洗濯機は、筐体と、前記筐体内部に揺動可能に支持された水槽と、前記水槽の内部に回転自在に設けられた洗濯兼脱水槽と、前記水槽の下部に配設され、前記洗濯兼脱水槽を回転駆動させるモータと、前記筐体の背面側に配設され、前記モータを制御する制御装置と、前記モータと前記制御装置とを接続するリード線と、前記筐体に配設され、前記リード線を固定する筐体側取付部と、を備える。前記筐体側取付部は、難燃部材により略コ字状に形成され、略コ字の内部に前記リード線を固定し、前記筐体の背面側に開口するように配置されている。
【発明の効果】
【０００８】
本開示における洗濯機は、リード線の断線による火災発生を抑止するとともに容易に組立ができる。
【図面の簡単な説明】
【０００９】
【図１】実施の形態１における洗濯機の縦断面図
【図２】同洗濯機の背面カバーを外した状態の下部背面図
【図３】図２におけるＡ−Ａ断面図
【図４】同洗濯機の下部枠体側取付部の周囲を示す外観斜視図
【図５】同洗濯機の下部枠体側取付部の周囲を示す縦断面図
【図６】同洗濯機のコントローラボックスの周囲を示す縦断面図
【図７】実施の形態２における洗濯機の下部枠体側取付部の周囲を示す外観斜視図
【発明を実施するための形態】
【００１０】
以下、図面を参照しながら、実施の形態を詳細に説明する。なお、添付図面および以下の説明によって本発明が限定されるものではない。
【００１１】
（実施の形態１）
（洗濯機の基本構成）
図１は、実施の形態１における洗濯機の縦断面図、である。
【００１２】
洗濯機１００は、外枠１０１と、上部枠体１０２と、下部枠体１０３とを備えている。上部枠体１０２は、外枠１０１の上部に固定されており、略中央に洗濯物投入口１０５が開口するように形成されている。下部枠体１０３は、樹脂により形成されており、外枠１０１の下部と固定されている。
【００１３】
上部枠体１０２の後方上部には、蓋１０４が洗濯物投入口１０５を覆うように開閉自在に配設されている。蓋１０４の後方には操作表示部１０６が設けられており、操作表示部１０６は表示部及び操作部を含む。使用者は、操作部を操作しながら表示部に表示される情報を確認し、洗濯機の運転条件を設定する。
【００１４】
外枠１０１の内部には、有底円筒状に形成された水槽１０７がサスペンション（図示せず）により弾性支持されている。
【００１５】
水槽１０７の内部は水を溜めることが可能であり、溜まった水は、排水弁（図示せず）が開放されることにより排水管（図示せず）から排出される。
【００１６】
水槽１０７の内部には、洗濯兼脱水槽１０９が回転自在に保持されている。洗濯兼脱水槽１０９の側壁には多数の脱水孔１１２が形成されており、洗濯水を洗濯兼脱水槽１０９の内外に通過させる。洗濯兼脱水槽１０９の上方位置にはバランサ１１１が設けられており、脱水動作時の洗濯兼脱水槽１０９のガタツキを抑制する。洗濯兼脱水槽１０９の底部には、パルセータ１１０が回転自在に設けられている。パルセータ１１０が回転することにより、洗濯兼脱水槽１０９の内部の洗濯物を攪拌できる。
【００１７】
水槽１０７の下部中央には、板状に形成された金属部品であるモータ保持部１２０が配設されている。モータ保持部１２０には、水槽１０７の外底部に取り付けられた伝達機構１２６と、ベルト１２２を介して伝達機構１２６を駆動させるモータ１２１と、が固定されている。ベルト１２２は、モータ１２１に設けられたモータ側プーリ１２３と、伝達機構１２６側に設けられたメカ側プーリ１２４との間で架橋されており、モータ１２１の回転駆動力を伝達機構１２６に伝達させる。
【００１８】
伝達機構１２６には、回転軸１２５と、減速ギア（図示せず）と、回転軸１２５の接続先を切り換えるクラッチ（図示せず）と、ブレーキ（図示せず）と、が設けられている。回転軸１２５は、パルセータ１１０及び洗濯兼脱水槽１０９と、それぞれ接続されている。
伝達機構１２６は、クラッチを切り替えることで、パルセータ１１０を単独で回転させ、または、パルセータ１１０及び洗濯兼脱水槽１０９を同時に回転させる。
【００１９】
外枠１０１の背面は一部分が開口しており、開口部分には制御基板（図示せず）を内蔵
したコントローラボックス１１３が配設されている。コントローラボックス１１３の背面には、外枠１０１の開口部分を覆うように背面カバー１１４が配設されている。制御基板は、モータ１２１や伝達機構１２６等を制御して一連の洗濯運転を実行させる。
【００２０】
（リード線）
図２は、実施の形態１における洗濯機の背面カバーを外した状態の下部背面図、図３は、図２におけるＡ−Ａ断面図である。
【００２１】
図２及び図３に示すように、モータ１２１から引き出されたリード線１２７は、下部枠体１０３の背面に引き回され、コントローラボックス１１３の下部に形成されたボックス開口部１１３ａからコントローラボックス１１３の内部に挿入されている。リード線１２７は、制御基板とモータ１２１とを電気的に接続し、電力供給や電気信号の伝達を行う。
【００２２】
制御基板側のリード線１２７は下部枠体側取付部１４０に係止されており、下部枠体側取付部１４０はコントローラボックス１１３の下方において下部枠体１０３に配設されている。モータ１２１側のリード線１２７は水槽側取付部１３１に係止されており、水槽側取付部１３１は水槽１０７の下部に固定されている。リード線１２７は、水槽側取付部１３１と下部枠体側取付部１４０との間で、弛みであるリード線弛み部１２７ａを持たせるように係止されている。下部枠体側取付部１４０及び水槽側取付部１３１の詳細は、後述する。
【００２３】
（水槽側取付部）
図３に示すように、水槽側取付部１３１は、金属等の難燃部材により板状に形成されており、モータ保持部１２０とは別部品として構成されている。水槽側取付部１３１は、コントローラボックス１１３の近傍において、水槽１０７の下底部に対して水槽側取付部ビス１３３により螺結されている。
【００２４】
水槽側取付部１３１には、水槽側取付部孔１３１ａが二箇所に形成されており、リード線１２７は、二箇所の水槽側取付部孔と略同じ間隔となるように、二つの結束バンド１４１でそれぞれ結束されている。結束バンド１４１は、リード線１２７を結束した状態で水槽側取付部孔１３１ａに挿入されており、水槽側取付部１３１の裏面に係止されている。
【００２５】
（下部枠体側取付部）
図４は、実施の形態１における洗濯機の下部枠体側取付部の周囲を示す外観斜視図、図５は、同洗濯機の下部枠体側取付部の周囲を示す縦断面図である。
【００２６】
下部枠体側取付部１４０は、下部枠体１０３から上方に延伸させて形成された台座１４３の上面に載置されている。下部枠体側取付部１４０の詳細構造は後述する。台座１４３は、略箱状となるように内部が空洞に形成されており、空洞を設けることで熱容量が小さくなるように構成されている。また、台座１４３の背面側には、台座開口１４３ａが形成されている。
【００２７】
台座１４３の上面には、円形の台座孔１４３ｂが二箇所に形成されており、台座１４３の内部には、台座１４３の強度を補強するように上下に台座リブ１４３ｃが形成されている。
【００２８】
下部枠体側取付部１４０は、金属等の難燃部材により略コの字状に形成されており、延焼を抑止する機能を有する。下部枠体側取付部１４０は、難燃部材で構成された板を折り曲げて形成されており、安価に製造可能である。下部枠体側取付部１４０は、リード線１２７が係止される係止面１４０ａと、リード線１２７の上方及び水槽１０７側を覆うよう
に設けられた遮蔽面１４０ｂと、背面側である開口部１４０ｃと、を含む。
【００２９】
係止面１４０ａには、結束バンド１４１を係止するための係止面孔１４０ｆが台座孔１４３ｂと対向するように二箇所に設けられている。係止面１４０ａは、下部枠体側取付部１４０が台座１４３に載置された際に位置決めするように、左右の端部を折り曲げて係止面折り曲げ部１４０ｅが形成されている。
【００３０】
リード線１２７は、二箇所の係止面孔１４０ｆと略同じ間隔となるように、二つの結束バンド１４１によりそれぞれ結束されている。結束バンド１４１は、リード線１２７を結束した状態で係止面孔１４０ｆ及び台座孔１４３ｂに挿入されており、台座１４３の内上面に係って止められている。
【００３１】
組立の際、作業者は台座１４３の上面に下部枠体側取付部１４０を載置して、リード線１２７を結束した状態の結束バンド１４１を係止面孔１４０ｆ及び台座孔１４３ｂに挿入し、リード線１２７を係止面１４０ａに固定する。これにより、下部枠体側取付部１４０は、リード線１２７と台座１４３との間で挟持されて台座１４３に対して係止されるので、取り付けが容易である。また、下部枠体側取付部１４０は、開口部１４０ｃを背面側に開口しているので、作業者が背面から手を差し入れやすくなっている。
【００３２】
また、下部枠体側取付部１４０からリード線１２７を取り外す際には、台座開口１４３ａから手を差し入れて結束バンド１４１の係止を外し、開口部１４０ｃから手を差し入れてリード線１２７及び結束バンド１４１を下部枠体側取付部１４０から取り出す。このように、台座開口１４３ａ及び開口部１４０ｃを背面側に開口させたことで、背面から手を差し入れやすくなっている。
【００３３】
（背面カバーの周囲）
図６は、実施の形態１における洗濯機のコントローラボックスの周囲を示す縦断面図である。
【００３４】
前述のように、背面カバー１１４は、外枠１０１の開口部分及びコントローラボックス１１３を覆うように、外枠１０１の背面側に取り付けられる。背面カバー１１４は、矢印Ｃ方向に膨らませて形成されており、水槽側取付部１３１と離間するように設けられている。背面カバー１１４の下部は、洗濯機１００の外観形状がコンパクトになるように、下部枠体１０３を略覆わない長さに形成されている。
【００３５】
以上のように構成された洗濯機１００について、以下、その動作を説明する。
【００３６】
（洗濯運転時における水槽の振動）
使用者は、蓋１０４を開いて洗濯物投入口１０５から洗濯兼脱水槽１０９内に洗濯物を投入し、操作表示部１０６を操作して電源をＯＮにする。続いて、使用者は、操作表示部１０６を操作して各種コースを選択し、洗濯運転を開始させる。各種コースは、洗い工程、濯ぎ工程、脱水工程、等の各種工程により構成されている。設定したコースにおける一連の工程が終了すると、洗濯運転が終了する。
【００３７】
洗濯運転の際、サスペンションにより揺動自在に支持された水槽１０７は、洗濯兼脱水槽１０９やパルセータ１１０の動作に伴って振動する。従って、水槽側取付部１３１に挟持されたリード線１２７は、水槽１０７の振動ともに大きく揺れ動く。一方で、外枠１０１は略振動しないため、水槽側取付部１３１と下部枠体側取付部１４０との間の距離は大きく変動する。リード線弛み部１２７ａを設けることで、水槽側取付部１３１と下部枠体側取付部１４０との間の距離の変動によりリード線１２７が断線することを抑制している
。
【００３８】
また、水槽側取付部１３１と下部枠体側取付部１４０との間のリード線１２７には、水槽１０７の振動の一部が伝達されている。従って、下部枠体１０３に取り付けられた下部枠体側取付部１４０では、リード線１２７の係止されている箇所に応力が集中し、リード線１２７が断線して発火する虞がある。本実施の形態では、発火の虞がある係止箇所を、金属により形成された係止面１４０ａ及び遮蔽面１４０ｂで覆い、樹脂で構成されることが多いコントローラボックス１１３及び水槽１０７が延焼することを抑止している。
【００３９】
（作用等）
以上のように、本実施の形態において、洗濯機１００は、外枠１０１、上部枠体１０２、及び下部枠体１０３と、外枠１０１の内部に揺動可能に支持された水槽１０７と、水槽１０７の内部に回転自在に設けられた洗濯兼脱水槽１０９と、水槽１０７の下部に配設され、洗濯兼脱水槽１０９を回転駆動させるモータ１２１と、外枠１０１の背面側に配設され、モータ１２１を制御する制御基板と、モータ１２１と制御基板とを接続するリード線１２７と、下部枠体１０３に配設され、リード線１２７を固定する下部枠体側取付部１４０と、を備える。下部枠体側取付部１４０は、難燃部材により略コ字状に形成され、略コ字の内部にリード線１２７を固定し、外枠１０１の背面側に開口するように配置されている。
【００４０】
これにより、応力が集中しやすいリード線１２７の固定部分を難燃部材により遮蔽できるとともに、開口から固定部分が背面側に露出するようになっている。そのため、リード線１２７の断線による火災発生を抑止するとともに、リード線１２７の取り付けや取外しが容易である。
【００４１】
本実施の形態のように、下部枠体側取付部１４０は、略コ字の内部にリード線１２７を固定する係止面１４０ａと、リード線１２７を固定する位置において、制御基板を収容するコントローラボックス１１３及び水槽１０７の向きを遮蔽する遮蔽面１４０ｂと、により略コ字状に形成されていてもよい。
【００４２】
これにより、樹脂で構成されることが多いコントローラボックス１１３及び水槽１０７に対して、応力が集中しやすいリード線１２７の固定部分を難燃部材により遮蔽できる。そのため、リード線１２７の断線によって、コントローラボックス１１３及び水槽１０７が延焼することを抑止できるため、火災の発生を防ぐことができる。
【００４３】
本実施の形態のように、筐体は、水槽１０７を内包する外枠１０１と、水槽を内包する外枠１０１と、外枠１０１の下部と固定された下部枠体１０３と、を含み、下部枠体側取付部１４０は、下部枠体１０３の上部に形成された台座１４３の上面に固定されていてもよい。
【００４４】
これにより、下部枠体側取付部１４０を台座１４３に載置し、その後、下部枠体１０３に対して固定できる。そのため、下部枠体側取付部１４０を取り付ける際の作業性が高い。
【００４５】
本実施の形態のように、筐体は、外枠１０１の背面側に形成された開口を覆うように取り付けられる背面カバー１１４を含み、背面カバー１１４は、下部枠体側取付部１４０と離間するように、背面側に膨出して形成される背面カバー膨出部１１４ａを有するようにしてもよい。
【００４６】
これにより、背面カバー１１４を樹脂で形成したとしても、リード線１２７の断線によ
って背面カバー１１４が延焼することを抑止できる。
【００４７】
本実施の形態のように、下部枠体側取付部１４０は、リード線１２７を挟持する結束バンド１４１を係止する係止面孔１４０ｆを有し、係止面孔１４０ｆに結束バンド１４１を係止することにより下部枠体１０３に固定されていてもよい。
【００４８】
これにより、結束バンド１４１を係止面孔１４０ｆ及び台座孔１４３ｂに挿入することで、下部枠体側取付部１４０がリード線１２７と台座１４３との間で挟持され、下部枠体側取付部１４０が台座１４３に対して係止される。そのため、下部枠体側取付部１４０を台座１４３に対して容易に取り付けできる。
【００４９】
（実施の形態２）
実施の形態２にかかる洗濯機２００は、下部枠体側取付部が台座に対してビス止めされている点で、実施の形態１にかかる洗濯機１００と異なる。従って、洗濯機２００は、下部枠体側取付部１４０の代わりに、下部枠体側取付部２４０及び台座２４３を備えている。
【００５０】
（下部枠体側取付部）
図７は、実施の形態２における洗濯機の下部枠体側取付部の周囲を示す外観斜視図である。
【００５１】
下部枠体側取付部２４０は下部枠体１０３に形成された台座の上面に載置されている。台座２４３の上面には、円形の台座孔２４３ｂが二箇所に形成されており、台座２４３の内部には、台座２４３の強度を補強するように上下に台座リブ２４３ｃが形成されている。また台座２４３の左右側部には、背面側に開口する台座ビス締結穴がそれぞれ形成されている。
【００５２】
下部枠体側取付部２４０は、係止面２４０ａと、リード線１２７の上方及び水槽１０７側を覆うように設けられた遮蔽面２４０ｂと、背面側である開口部２４０ｃと、台座２４３にビス止めされるビス締結部２４０ｄと、を含む。
【００５３】
係止面２４０ａには、結束バンド１４１を係止するための係止面孔２４０ｆが台座孔２４３ｂと対向するように二箇所に設けられている。ビス締結部２４０ｄは、係止面２４０ａの背面端部から下垂形成されており、台座ビス締結穴２４３ｄと対向する位置に係止面孔２４０ｆが形成されている。
【００５４】
組立の際、作業者は台座２４３の上面に下部枠体側取付部２４０を配置し、ビス締結部２４０ｄにおいて下部枠体側取付部ビス２４２によりビス止めする。次に、リード線１２７を結束した状態の結束バンド１４１を係止面孔２４０ｆ及び台座孔２４３ｂに挿入し、リード線１２７を係止面２４０ａに固定する。本実施の形態では、下部枠体側取付部２４０をビス止めしてから結束バンド１４１の挿入を行うので、作業者は下部枠体側取付部２４０を手で押さえながら作業しなくてよい。
【００５５】
（作用等）
以上のように、本実施の形態において、洗濯機１００は、外枠１０１、上部枠体１０２、及び下部枠体１０３と、外枠１０１の内部に揺動可能に支持された水槽１０７と、水槽１０７の内部に回転自在に設けられた洗濯兼脱水槽１０９と、水槽１０７の下部に配設され、洗濯兼脱水槽１０９を回転駆動させるモータ１２１と、外枠１０１の背面側に配設され、モータ１２１を制御する制御基板と、モータ１２１と制御基板とを接続するリード線１２７と、下部枠体１０３に配設され、リード線１２７を固定する下部枠体側取付部２４
０と、を備える。下部枠体側取付部２４０は、略コ字の内部にリード線１２７を固定する係止面２４０ａと、係止面２４０ａの背面端部から下垂形成されて下部枠体１０３に対してビス止めされる、ビス締結部２４０ｄを有する。
【００５６】
これにより、ビス締結部２４０ｄが背面側に形成されているので、背面側からビス止めが可能となっている。そのため、下部枠体側取付部２４０は、取り付けが容易である。
【００５７】
（他の実施の形態）
以上のように、本出願において開示する技術の例示として、実施の形態１及び２を説明した。しかしながら、本開示における技術は、これに限定されない。
【００５８】
そこで、以下、他の実施の形態を例示する。
【００５９】
実施の形態１では、洗濯機の一例として、縦型洗濯機である洗濯機１００を説明した。洗濯機は、筐体内に揺動自在に支持された水槽及び制御装置を備えていればよいので縦型洗濯機に限定されない。洗濯機は、二槽式洗濯機であってもよい。
【００６０】
実施の形態１及び２では、略コ字状の筐体側取付部の一例として、下部枠体側取付部１４０及び下部枠体側取付部２４０を説明した。略コ字状とは、下部枠体側取付部１４０の形状に限定されるものではなく、コの字形状、Ｕ字形状、半円形状、それらの端部を折り曲げた形状、であってもよい。
【００６１】
実施の形態１及び２では、難燃部材の一例として、金属を説明した。難燃部材は、金属に限定されるものではなく、セラミックや難燃性の樹脂を用いてもよい。
【００６２】
実施の形態１及び２では、リード線が固定されている固定面の一例として、台座１４３に載置されている係止面１４０ａ、及び台座２４３に載置されている係止面２４０ａを説明した。固定面は、台座に載置される面に限定されるものではない。例えば、水槽側の面やコントローラボックス側の面であってもよい。ただし、台座に載置される面を固定面とすることで、実施の形態１及び２のように、台座開口から手を差し入れて結束バンドの係止を取り外すことができる。
【産業上の利用可能性】
【００６３】
本開示は、モータ及び制御装置をリード線で電気的に接続している洗濯機に適用可能である。具体的には、縦型洗濯機、ドラム式洗濯機、二槽式洗濯機などに、本開示は適用可能である。
【符号の説明】
【００６４】
１００  洗濯機
１０１  外枠（筐体）
１０２  上部枠体（筐体）
１０３  下部枠体（筐体）
１０４  蓋
１０５  洗濯物投入口
１０６  操作表示部
１０７  水槽
１０９  洗濯兼脱水槽
１１０  パルセータ
１１１  バランサ
１１２  脱水孔
１１３  コントローラボックス（制御装置）
１１３ａ  ボックス開口部
１１４  背面カバー
１１４ａ  背面カバー膨出部
１２０  モータ保持部
１２１  モータ
１２２  ベルト
１２３  モータ側プーリ
１２４  メカ側プーリ
１２５  回転軸
１２６  伝達機構
１２７  リード線
１２７ａ  リード線弛み部
１３１  水槽側取付部
１３３  水槽側取付部ビス
１４０  下部枠体側取付部（筐体側取付部）
１４０ａ  係止面（固定面）
１４０ｂ  遮蔽面
１４０ｃ  開口部
１４０ｅ  係止面折り曲げ部
１４０ｆ  係止面孔（係止部）
１４１  結束バンド（挟持手段）
１４３  台座
１４３ａ  台座開口
１４３ｂ  台座孔
１４３ｃ  台座リブ
２００  洗濯機
２４０  下部枠体側取付部（筐体側取付部）
２４０ａ  係止面（固定面）
２４０ｂ  遮蔽面
２４０ｃ  開口部
２４０ｄ  ビス締結部
２４０ｆ  係止面孔（係止部）
２４２  下部枠体側取付部ビス
２４３  台座
２４３ｂ  台座孔
２４３ｃ  台座リブ
２４３ｄ  台座ビス締結穴
【図１】
2020174898.tif 000003
【図２】
2020174898.tif 000004
【図３】
2020174898.tif 000005
【図４】
2020174898.tif 000006
【図５】
2020174898.tif 000007
【図６】
2020174898.tif 000008
【図７】
2020174898.tif 000009